(57)【要約】【課題】ケーブルをフェライトコアに容易かつ短時間に配設することができ、ケーブルをフェライトコアの周方向に等間隔に配設することができる配設構造を提供すること。【解決手段】貫通口３０ａを有する円筒形状のフェライトコア３０に対して、ケーブル１０を貫通口３０ａに挿通させてフェライトコア３０に巻きつけるように配設する配設方法であって、この配設方法は、ケーブル１０をフェライトコア３０の高さ方向に挿通させるようにケーブル１０をガイドし、ケーブル１０をフェライトコア３０の周方向に等間隔に配設するガイド部材５０を、貫通口３０ａに配設し、ガイド部材５０によってフェライトコア３０の高さ方向にケーブル１０をガイドさせながら挿通させ、ガイド部材５０によってケーブル１０をフェライトコア３０の周方向に等間隔に配設し、ケーブル１０をフェライトコア３０に巻きつかせる。【選択図】      図１
2010199413.tif 000002
【特許請求の範囲】
【請求項１】
貫通口を有する円筒形状のフェライトコアに対して、ケーブルを前記貫通口に挿通させて前記フェライトコアに巻きつけるように配設する配設方法であって、
前記ケーブルを前記フェライトコアの高さ方向に挿通させるように前記ケーブルをガイドし、前記ケーブルを前記フェライトコアの周方向に等間隔に配設するガイド部材を、前記貫通口に配設し、
前記ガイド部材によって前記フェライトコアの高さ方向に前記ケーブルをガイドさせながら挿通させ、前記ガイド部材によって前記ケーブルを前記フェライトコアの周方向に等間隔に配設し、前記ケーブルをフェライトコアに巻きつかせることを特徴とする配設方法。
【発明の詳細な説明】
【技術分野】
【０００１】
本発明は、フェライトコアに対してケーブルをフェライトコアの周方向に等間隔に配設する配設方法に関する。
【背景技術】
【０００２】
一般的にデジタル信号を取り扱う図示しない電子機器には、図７に示すようなケーブル１１０が配設されている。このケーブル１１０にノイズが含まれると、このノイズが電子機器を誤作動させてしまう。そのためケーブル１１０には、電子機器の誤作動の要因となるノイズをケーブル１１０から除去する図示しないフェライトコアが配設されている。
【０００３】
詳細には、このフェライトコアは、貫通口を有する円筒形状である。また一般的にフェライトコアは、円筒形状の保護ケース１３２によって覆われ露出せず、保護されている。保護ケース１３２は、高さ方向に分離可能であり、フェライトコアの両側からフェライトコアを挟み込んで、保護する。これによりフェライトコアは、保護ケース１３２の内部に配設されている。図７に示すようにケーブル１１０は、保護ケース１３２の貫通口１３２ａを挿通し、保護ケース１３２を介してフェライトコア１３０に巻きつけられている。巻きついたケーブル１１０は、フェライトコア１３０の周方向に等間隔で互いに離れるように、束線部品１７０などによって保護ケース１３２（フェライトコア１３０）に固定されている。
【０００４】
なお例えば特許文献１には、低コスト化を図る一方で、フェライトコアの寸法精度にかかわらずフェライトコアを確実に保護することを可能にした保護ケースを有するノイズ吸収装置について開示されている。  
【先行技術文献】
【特許文献】
【０００５】
【特許文献１】特開２００２−２２２７１５号公報
【発明の概要】
【発明が解決しようとする課題】
【０００６】
上述した図７において、ケーブル１１０を保護ケース１３２（フェライトコア１３０）に巻きつけ、束線部品１７０によってケーブル１１０を保護ケース１３２に固定する作業は、手間と時間とがかかり、作業性が悪い。またケーブル１１０が多いほど、固定作業は手間と時間とがかかる。
【０００７】
また保護ケース１３２とケーブル１１０との間には、摩擦が生じない。そのためケーブル１１０が束線部品１７０によって保護ケース１３２に固定されていても、ケーブル１１０がフェライトコア１３０の周方向に移動してしまう（ずれてしまう）虞が生じる。これによりフェライトコア１３０の周方向におけるケーブル１１０の配設関係は、等間隔ではなくなり、角度の均衡が崩れてしまう。そのためケーブル１１０同士は近接し、熱がこもりやすくなり、電子機器には熱による影響が生じてしまう。
【０００８】
そのため本発明は、上記事情に鑑み、ケーブルをフェライトコアに容易かつ短時間に配設することができ、ケーブルをフェライトコアの周方向に等間隔に配設することができる配設方法を提供することを目的とする。
【課題を解決するための手段】
【０００９】
本発明は目的を達成するために、貫通口を有する円筒形状のフェライトコアに対して、ケーブルを前記貫通口に挿通させて前記フェライトコアに巻きつけるように配設する配設方法であって、前記ケーブルを前記フェライトコアの高さ方向に挿通させるように前記ケーブルをガイドし、前記ケーブルを前記フェライトコアの周方向に等間隔に配設するガイド部材を、前記貫通口に配設し、前記ガイド部材によって前記フェライトコアの高さ方向に前記ケーブルをガイドさせながら挿通させ、前記ガイド部材によって前記ケーブルを前記フェライトコアの周方向に等間隔に配設し、前記ケーブルをフェライトコアに巻きつかせることを特徴とする配設方法を提供する。
【００１０】
また本発明は目的を達成するために、ケーブルと、貫通口を有する円筒形状のフェライトコアと、前記貫通口に着脱自在に配設され、前記ケーブルを前記フェライトコアの高さ方向に挿通させるように前記ケーブルをガイドし、前記ケーブルを前記フェライトコアの周方向に等間隔に配設するガイド部材と、を具備することを特徴とする配設構造を提供する。
【００１１】
また本発明は目的を達成するために、前記ガイド部材は、貫通口を有し、前記貫通口に着脱自在に係合する円筒形状の円筒部と、前記円筒部の底面に配設され、前記円筒部が前記フェライトコアの前記貫通口を挿通してしまうことを防止するストッパ部材を兼ねる円盤形状の本体部と、を有し、前記本体部は、前記本体部の周方向に等間隔に形成されている切り欠き部を縁にさらに有していることを特徴とする上記に記載の配設構造を提供する。
【００１２】
また本発明は目的を達成するために、前記切り欠き部は、前記縁に向って開口し、前記フェライトコアの高さ方向において前記円筒部の前記貫通口と連通し、前記切り欠き部は、前記フェライトコアにおける前記ケーブルの配設位置を前記フェライトコアの周方向に等間隔に離し、前記ケーブル同士の近接を防止するために、前記ケーブルの配設位置を区切っていることを特徴とする上記に記載の配設構造を提供する。
【発明の効果】
【００１３】
本発明によれば、ケーブルをフェライトコアに容易かつ短時間に配設することができ、ケーブルをフェライトコアの周方向に等間隔に配設することができる配設方法を提供することができる。
【図面の簡単な説明】
【００１４】
【図１】図１（ａ）はガイド部材をフェライトコア（保護ケース）に配設し、ケーブルをフェライトコア（保護ケース）に巻きつけた際の配設構造の側面図であり、図１（ｂ）は図１（ａ）の正面図である。
【図２】図２（ａ）はフェライトコアを保護している保護ケースの側面図であり、図２（ｂ）は図２（ａ）の正面図である。
【図３】図３（ａ）はガイド部材の側面図であり、図３（ｂ）は本体部側から見た図３（ａ）に示すガイド部材の正面図である。
【図４】図４は、配電方式のパターンを示す図である。
【図５】図５（ａ）は、ガイド本体部を有する円筒部を含むガイド部材の側面図であり、図５（ｂ）は円筒部側からみた図５（ａ）に示すガイド部材の背面図である。
【図６】図６は、保護ケースにガイド部材を配設した状態を示す図である。
【図７】図７は、ケーブルをフェライトコアに配設する従来の構造を示す斜視図である。
【発明を実施するための形態】
【００１５】
以下、図１乃至図４を参照して本発明に係る実施形態について詳細に説明する。  
図１に示すように、配設構造１は、フェライトコア３０に対してケーブル１０をフェライトコア３０の周方向に等間隔に配設する。この配設構造１は、図示しない電子機器に接続しているケーブル１０と、貫通口３０ａを有する円筒形状のフェライトコア３０と、貫通口３０ａに着脱自在に配設され、フェライトコア３０の高さ方向に挿通させるようにケーブル１０をガイドし、フェライトコア３０に対してケーブル１０をフェライトコア３０の周方向に等間隔に配設するガイド部材５０とを有している。
【００１６】
フェライトコア３０は、図示しない電子機器の誤作動の要因となるノイズをケーブル１０から除去する。図１と図２とに示すようにフェライトコア３０は、リング形状を有している。
【００１７】
図２に示すようにフェライトコア３０は、２つの保護ケース３２によって保護されている。保護ケース３２は、貫通口３２ａを有し、フェライトコア３０と同様にリング形状を有している。保護ケース３２は、フェライトコア３０の底面３０ｂ側と上面３０ｃ側とからフェライトコア３０を覆いフェライトコア３０を露出させず、フェライトコア３０を保護する。
【００１８】
なお保護ケース３２の内径Ｄ１（貫通口３２ａの直径）は、フェライトコア３０の内径Ｄ２（貫通口３０ａの直径）よりも微小に小さい。また保護ケース３２の外径Ｄ３は、フェライトコア３０の外径Ｄ４よりも微小に大きい。そのためフェライトコア３０は、２つの保護ケース３２の中に配置される。このとき貫通口３０ａには、貫通口３２ａが挿入する。
【００１９】
図３に示すように、ガイド部材５０は、例えば樹脂やプラスチックである。ガイド部材５０は、貫通口３２ａを通じて保護ケース３２に配設される。このガイド部材５０は、貫通口５１ａを有し、貫通口３２ａに着脱自在に係合する円筒形状の円筒部５１と、円筒部５１の底面５１ｂに配設されている円盤形状の本体部５３とを有している。円筒部５１と本体部５３とは、一体である。
【００２０】
図１と図２と図３とに示すように円筒部５１の外径ｄ１は、保護ケース３２の内径Ｄ１と略同様である。本体部５３の直径ｄ２は、円筒部５１の外径ｄ１よりも微小に大きく、保護ケース３２の内径Ｄ１よりも微小に大きく、保護ケース３２の外径Ｄ３よりも小さい。  
また円筒部５１の長さｔ１は、２つの保護ケース３２の高さの総和Ｔ１と略同様である。
【００２１】
円筒部５１が貫通口３２ａに挿入され、ガイド部材５０が保護ケース３２を介してフェライトコア３０に配設（装着）されると、本体部５３は、保護ケース３２の底面３２ｂに引っ掛かる。つまり本体部５３は、ガイド部材５０（円筒部５１）が貫通口３２ａを挿通してしまうことを防止するストッパ部材を兼ねている。本体部５３の長さは、フェライトコア３０の高さ及び円筒部５１の長さよりも短い。
【００２２】
図３に示すように本体部５３は、本体部５３の周方向に等間隔に形成されている切り欠き部５４を縁５３ａに有している。この間隔は、例えば６０°である。切り欠き部５４は、例えば半円形形状を有しており、縁５３ａに向って開口し、フェライトコア３０の高さ方向において貫通口５１ａと連通している。円筒部５１が貫通口３２ａに挿入された際、１つの切り欠き部５４には、１本のケーブル１０がフェライトコア３０の高さ方向に沿って円筒部５１を自在に挿通し、１本のケーブル１０が保護ケース３２（フェライトコア３０）と円筒部５１とを巻くことができるように、１本のケーブル１０が配設される。このように切り欠き部５４は、ケーブル１０をガイドするガイド本体部である。切り欠き部５４は、フェライトコア３０におけるケーブル１０の配設位置をフェライトコア３０の周方向に等間隔に離し、ケーブル１０同士の近接を防止するために、ケーブル１０の配設位置を区切っている。
【００２３】
次に本実施形態の動作方法について説明する。  
円筒部５１は底面３２ｂ側から貫通口３２ａに挿入される。これにより貫通口３２ａの内側に、貫通口５１ａが配設される。本体部５３の直径ｄ２は保護ケース３２の内径Ｄ１よりも微小に大きいため、本体部５３は底面３２ｂに引っ掛かる。このとき本体部５３は、ガイド部材５０（円筒部５１）が保護ケース３２（貫通口３２ａ）を挿通してしまう（抜け落ちてしまう）ことを防止する。これによりガイド部材５０は、保護ケース３２を介してフェライトコア３０に配設される。
【００２４】
ケーブル１０は、ガイド部材５０（切り欠き部５４）によってフェライトコア３０の高さ方向にガイドされながら円筒部５１を挿通し、図１に示すようにガイド部材５０（切り欠き部５４）によってケーブル１０をフェライトコア３０の周方向に等間隔に配設され、フェライトコア３０に巻きつく。このときケーブル１０は、貫通口５１ａを２回挿通する（２ターン敷設される）。
【００２５】
詳細には、切り欠き部５４は６０°間隔で配設されているために、ガイド部材５０は、ケーブル１０をそれぞれフェライトコア３０の周方向に等間隔に離れるようにガイドし、保護ケース３２を介してフェライトコア３０の周方向にケーブル１０を等間隔に配設する。
【００２６】
またガイド部材５０は、ケーブル１０の配設位置を切り欠き部５４によって区切っているために、保護ケース３２とケーブル１０との間に摩擦が生じても、フェライトコア３０の周方向へのケーブル１０の移動を防止し、ケーブル１０同士が不用意に近接することを防止している。
【００２７】
つまりケーブル１０は、ガイド部材５０によってフェライトコア３０の周方向に等間隔に配設され、ケーブル１０同士が近接することを防止される。
【００２８】
そしてガイド部材５０は、フェライトコア３０の周方向におけるケーブル１０の配設関係を維持し、ケーブル１０同士が近接することによる熱のこもりを防止し、電子機器への熱の影響を防止している。
【００２９】
このように本実施形態では、ガイド部材５０（より詳細には、切り欠き部５４）によって、ケーブル１０を、保護ケース３２を介してフェライトコア３０に容易かつ短時間に配設することができ、ケーブル１０をフェライトコア３０の周方向に等間隔に配設することができる。
【００３０】
また本実施形態では、ガイド部材５０によってケーブル１０をフェライトコア３０の周方向に等間隔に配設することができるために、ケーブル１０同士が不用意に近接することを防止でき、ケーブル１０同士が近接することによる熱のこもりを防止でき、電子機器への熱の影響を防止することができる。
【００３１】
またこれにより本実施形態では、ケーブル１０に対する熱の負担を削減することができる。
【００３２】
また本実施形態では、ガイド部材５０によってケーブル１０をフェライトコア３０の周方向に等間隔に配設することができるために、図４に示すように、単相２線式と、三相３線式と、三相４線式といったようなあらゆる配電方式のパターンに適応することができ、汎用性を高めることができる。  
単相２線式の場合、２本のケーブル１０は、ガイド部材５０によってフェライトコア３０の周方向に互いに１８０°離れてフェライトコア３０に配設される。このとき、図４に示すＬ（Ｌ１）はＬｉｖｅ（Ｌｉｖｅ１）であることを示し、Ｎ（Ｌ２）はＮｅｕｔｒａｌ（Ｌｉｖｅ２）であることを示す。  
三相３線式の場合、３本のケーブル１０は、ガイド部材５０によってフェライトコア３０の周方向にそれぞれ１２０°離れてフェライトコア３０に配設される。  
三相４線式の場合、４本のケーブル１０は、ガイド部材５０によってフェライトコア３０の周方向にそれぞれ１２０°と６０°と離れてフェライトコア３０に配設される。
【００３３】
また本実施形態では、ケーブル１０をフェライトコア３０に挿通させた後、束線部品１７０などの別体によってケーブル１０を保護ケース３２（フェライトコア３０）に固定しないために、固定作業の手間を簡略することができ、固定作業の時間を削減することができる。
【００３４】
またケーブル１０が束線部品１７０などによって保護ケース３２（フェライトコア３０）に固定された際、保護ケース３２とケーブル１０との間に摩擦が生じないと、ケーブル１０が保護ケース３２（フェライトコア３０）から離れ及びフェライトコア３０の周方向に移動し、フェライトコア３０がケーブル１０に含まれるノイズを除去できない虞が生じる。しかしながら本実施形態では、ケーブル１０はガイド部材５０によって不用意にフェライトコア３０から離れず及びケーブル１０の配設位置が等間隔に維持されているために、ケーブル１０に含まれているノイズを効率よく除去することができる。
【００３５】
また本実施形態では、束線部品１７０が不要であるために、部品点数と作業工数を削減することができる。
【００３６】
また本実施形態では、ガイド部材５０によって保護ケース３２を介してフェライトコア３０にケーブル１０を近接させることができるために、より電子機器の誤作動の要因となるノイズをケーブル１０から除去することができる。
【００３７】
なお本実施形態では、ガイド部材５０をフェライトコア３０に直接配設させてもよい。
【００３８】
また本実施形態では、ケーブル１０をガイド部材５０に挿通させた状態で、ガイド部材５０を保護ケース３２に配設させてもよい。
【００３９】
なお本実施形態では、切り欠き部５４を本体部５３の周方向に等間隔に配設できれば、例えば１２０°間隔でもよく、間隔は６０°に限定されない。
【００４０】
また本実施形態では、切り欠き部５４の形状は、ケーブル１０を挿通させることができれば、例えば矩形形状であってもよく、半円形形状に限定されない。
【００４１】
また本実施形態では、本体部５３がストッパ部材を兼ねているが、これに限定することなく、ガイド部材５０は爪などのストッパ部材を有していてもよい。
【００４２】
また本実施形態では、ガイド本体部である切り欠き部５４を本体部５３にのみ配設されているが、これに限定する必要はなく、図５に示すように円筒部５１の内側にもガイド本体部５５が配設されていても良い。
【００４３】
また本実施形態では、ガイド部材５０を底面３２ｂ側から１つのみ保護ケース３２に配設したが、これに限定する必要はなく、ガイド部材５０を底面３２ｂ側と上面３２ｃ側とから保護ケース３２に２つ配設してもよい。つまり１つの保護ケース３２に１つのガイド部材５０が配設される。この場合、１つのガイド部材５０の高さと１つの保護ケース３２の高さが同一となる。これにより本実施形態では、保護ケース３２を介してフェライトコア３０にケーブル１０をより容易かつより短時間に配設することができ、ケーブル１０をフェライトコア３０の周方向により等間隔に配設することができる。
【００４４】
また本実施形態では、保護ケース３２にガイド部材５０を配設したが、これに限定することはない。例えば図６に示すように、保護ケース３２は、ガイド部材５０を有していてもよい。より詳細には、保護ケース３２は、切り欠き部５４と同様にケーブル１０をガイドするガイド本体部５６を有している。ガイド本体部５６は、保護ケース３２の厚み方向に貫通口３０ａと連通し、保護ケース３２を貫通する貫通口である。
【００４５】
この場合、保護ケース３２は、第１の実施形態と同様に、底面３０ｂ側と上面３０ｃ側とからフェライトコア３０を覆いフェライトコア３０を露出させず、フェライトコア３０を保護しても良いし、底面３０ｂ側と上面３０ｃ側とのどちらか一方からフェライトコア３０の一方の面を覆い、フェライトコア３０を保護しても良い。
【００４６】
これにより本実施形態では、保護ケース３２にガイド部材５０を配設する手間を省くことができ、ケーブル１０を、保護ケース３２を介してフェライトコア３０により容易かつ短時間に配設することができ、ケーブル１０をフェライトコア３０の周方向に等間隔に配設することができる。また本実施形態は、保護ケース３２がガイド部材５０を兼ねているために、安価にすることができる。
【００４７】
本発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。
【符号の説明】
【００４８】
１…配設構造、１０…ケーブル、３０…フェライトコア、３０ａ…貫通口、３０ｂ…底面、３０ｃ…上面、３２…保護ケース、３２ａ…貫通口、３２ｂ…底面、３２ｃ…上面、５０…ガイド部材、５１ａ…貫通口、５１…円筒部、５１ｂ…底面、５３…本体部、５３ａ…縁、５４…切り欠き部、５５…ガイド本体部。
【図１】
2010199413.tif 000003
【図２】
2010199413.tif 000004
【図３】
2010199413.tif 000005
【図４】
2010199413.tif 000006
【図５】
2010199413.tif 000007
【図６】
2010199413.tif 000008
【図７】
2010199413.tif 000009